(57)【要約】  特に、香料／芳香剤、殺虫剤、消毒剤、殺菌剤、防かび剤、及び／又は薬剤のような揮発性材料の発散に関して、膜を通して室温で揮発性材料を受動的に発散するようになった非自動式ディスペンサ。【選択図】図２
2010536453.tif 000002
【特許請求の範囲】
【請求項１】
揮発性材料のための受動ディスペンサであって、
ある一定量の揮発性材料を保持するように構成された内側チャンバを備えたハウジング、
を含み、
少なくとも２つの個別の膜、
を更に含み、
前記チャンバは、前記揮発性材料と前記膜の間の直接接触を可能にするように構成され、かつ
使用中に、ディスペンサが、前記膜の少なくとも１つが前記揮発性材料と直接接触しないように配向される、
ことを特徴とするディスペンサ。
【請求項２】
揮発性材料のための受動ディスペンサであって、
ある一定量の揮発性材料を保持するように構成された内側チャンバを備え、該揮発性材料が該チャンバに設けられたハウジング、
を含み、
少なくとも２つの個別の膜、
を更に含み、
前記チャンバは、前記揮発性材料と前記膜の間の直接接触を可能にするように構成され、かつ
使用中に、ディスペンサが、前記膜の少なくとも１つが前記揮発性材料と直接接触しないように配向される、
ことを特徴とするディスペンサ。
【請求項３】
前記ディスペンサの前記ハウジングは、前記内側チャンバを形成するために１つ又はそれよりも多くの側縁によって離間した前壁及び後壁を含むことを特徴とする請求項１又は請求項２に記載のディスペンサ。
【請求項４】
前記膜は、各膜の一方の側が前記ハウジングの前記内側チャンバに露出され、かつ該膜の他方の側が該ハウジングの外部に露出されるようにディスペンサの前記前壁に取り付けられることを特徴とする請求項１から請求項３のいずれか１項に記載のディスペンサ。
【請求項５】
使用中に、ディスペンサの作動位置が、前記ハウジングの前記１つ又は複数の側縁がディスペンサの置かれた表面に接触するための位置であるように構成されることを特徴とする請求項１から請求項４のいずれか１項に記載のディスペンサ。
【請求項６】
前記ハウジングは、その外部から突出するか又は外部上に装着された１つ又はそれよりも多くの固定手段を有し、
前記固定手段は、ディスペンサが置かれた表面に係合するようになっている、
ことを特徴とする請求項１から請求項５のいずれか１項に記載のディスペンサ。
【請求項７】
障壁区画が、隣接する膜の間に位置していることを特徴とする請求項１から請求項６のいずれか１項に記載のディスペンサ。
【請求項８】
前記揮発性材料は、使用中かつディスペンサが好ましい作動位置に配向された時に該揮発性材料が個別の膜の全体と直接接触しないディスペンサにおける量で存在することを特徴とする請求項２から請求項７のいずれか１項に記載のディスペンサ。
【請求項９】
より多いか又は少ない個別の膜が前記揮発性材料と接触するようにユーザが使用中にディスペンサを配向するための２つよりも多い個別の膜が設けられることを特徴とする請求項１から請求項８のいずれか１項に記載のディスペンサ。
【請求項１０】
異なる大きさの膜が、ユーザがディスペンサを使用する時に前記受動／ブースト発散速度を選択及び制御することを容易にするために設けられることを特徴とする請求項１から請求項９のいずれか１項に記載のディスペンサ。
【請求項１１】
揮発性材料のレベルの補充を可能にするために前記ハウジングにアクセスポートが設けられることを特徴とする請求項１から請求項１０のいずれか１項に記載のディスペンサ。
【請求項１２】
揮発性材料の詰め替え品と共に使用するために作動可能であるように構成されることを特徴とする請求項１から請求項１１のいずれか１項に記載のディスペンサ。
【請求項１３】
前記ハウジングには、該ハウジングの他の１つ又は複数の部分に対して可動であるハウジングの区画が設けられ、ユーザが該内側ハウジングにアクセスしてそこに詰め替え品を位置決めすることを可能にすることを特徴とする請求項１２に記載のディスペンサ。
【請求項１４】
前記膜が位置するディスペンサの前記側壁は、詰め替え品の装填を可能にするために可動であることを特徴とする請求項１２又は請求項１３に記載のディスペンサ。
【請求項１５】
前記ハウジングの前記可動部の内面には、１つ又はそれよりも多くの穿孔手段が設けられることを特徴とする請求項１２から請求項１４のいずれか１項に記載のディスペンサ。
【請求項１６】
前記詰め替え品は、前記ハウジングの前記内側チャンバを実質的に満たすような形状を有することを特徴とする請求項１２から請求項１５のいずれか１項に記載のディスペンサ。
【請求項１７】
請求項２に記載のディスペンサの発散速度を手動でブーストする方法であって、
揮発性材料のディスペンサが、第１の位置から、該揮発性材料が、該第１の位置の間は該揮発性材料が接触していなかった少なくとも１つの個別の膜と直接接触するような第２の位置まで手動で移動され、かつ
少なくとも１つの個別の膜が、前記第２の位置では前記揮発性材料と直接接触していない、
ことを特徴とする方法。
【発明の詳細な説明】
【技術分野】
【０００１】
本発明は、膜を通じて室温で揮発性材料を受動的に発散し、かつ以下に限定されるものではないが特に、香料／芳香剤、殺虫剤、消毒剤、殺菌剤、防かび剤、及び／又は薬剤のような揮発性材料を発散するようになったディスペンサに関する。
【背景技術】
【０００２】
揮発性液体芳香剤の発散に対して見出される装置のような従来の膜を含む発散装置は、一般的に、ある一定量の液体芳香剤を保持するハウジング、及び一方の側で常に液体と接触し、その他方の側で外部環境に露出される膜から成る。揮発性液体と膜の間の接触は、毛細管作用及び／又は拡散によって膜に液体を取り込ませ、従って、周囲に露出されたその表面からの蒸発によって液体の発散が可能である。
このような装置は、構成するのは簡単であるが、これらは、いくつかの欠点を含み、その一部を以下で特定する。
【０００３】
１つの欠点、特に芳香剤の発散に伴うものは、「馴化」と呼ばれる現象である。馴化とは、継続的に芳香剤を発散させるユーザが芳香剤の香りにあまりに慣れきってしまい、しばらくすると香りに気づくことができなくなる場合である。これは、装置が香料を発散しているか否かについて視覚的な手がかりがユーザに与えられない非自動芳香剤装置では特に問題である。
揮発性液体芳香剤のような揮発性材料と常に接触する膜を有する装置に関連する更に別の欠点は、真空増加の現象である。真空増加現象は、湿潤した膜が、揮発性材料の発散によって引き起こされるハウジング内の圧力低下を等しくするのに十分な空気流を通すことができないためにハウジング内で発生する可能性がある。この蓄積現象は、消費者の観点からこのような装置に関する受け入れられない性能上の問題を生じる可能性がある。
【０００４】
芳香剤の分野では、いくつかの成分を含む揮発性液体香料／芳香剤を用いることが一般的に好ましい。これらの成分は、放出問題をもたらす可能性がある異なる揮発度を有することが多い。揮発性液体と常に接触する膜を有する装置では、最低相対揮発度を備える揮発性液体成分の蓄積が起こる可能性があり、液体に対して望ましくない不均一な発散プロフィールをもたらす。
蓄積現象及び低揮発度成分の蓄積のいずれか又は両方の場合では、揮発性液体の蒸発速度及び従って発散速度は、以下の図１に示すプロフィールを取る。
［図１］
2010536453.tif 000003
最終的に、発散速度は、膜表面から離れる揮発性液体の各個々の成分の蒸発速度が拡散による堆積速度と同等になり、装置がそれ以上の真空を維持することができない平衡（破線）に達する場合がある。
【発明の概要】
【発明が解決しようとする課題】
【０００５】
従って、本発明の目的は、上述の欠点及び当業者によって認識される他の欠点に対処することができる装置を提供することである。
【課題を解決するための手段】
【０００６】
従って、本発明の第１の態様により、ある一定量の揮発性材料を保持するように構成された内側チャンバを備えたハウジングを含み、少なくとも２つの個別の膜を更に含む揮発性材料のための受動ディスペンサを提供し、チャンバは、揮発性材料と膜の間の直接接触を可能にするように構成され、かつ使用中に、ディスペンサは、膜の少なくとも１つが揮発性材料と直接接触しないように配向される。
従って、本発明の第２の実施形態により、ある一定量の揮発性材料を保持するように構成された内側チャンバを備え、揮発性材料がチャンバに設けられたハウジングを含み、少なくとも２つの個別の膜を更に含む揮発性材料のための受動ディスペンサを提供し、チャンバは、揮発性材料と膜の間の直接接触を可能にするように構成され、かつ使用中に、ディスペンサは、膜の少なくとも１つが揮発性材料と直接接触しないように配向される。
【０００７】
本発明の関連では、「受動」という用語は、電動式発散手段又は高圧ガス式エーロゾルシステムなどの補助なしに揮発性液体を発散させる機能を意味すると理解される。
揮発性材料と接触しない膜は、有利な態様では、従来技術に付随する蓄積現象を少なくとも克服する機能を備えた本発明によるディスペンサを提供することができる。
更に、以下で説明するように、馴化という付加的な欠点及び低揮発度成分の蓄積の回避も、有利な態様では、本発明によるディスペンサによって対処することができる。
【０００８】
ディスペンサのハウジングは、好ましくは、複数の側縁によって又は側面から見た時にハウジングがほぼ円形又は楕円形である場合に１つの側縁によって離間した前壁及び後壁を含み、このようにして内側チャンバを形成する。１つの好ましい実施形態では、ハウジングは、側面から見るとほぼ円形又は楕円形で設けられる。代替的な好ましい実施形態では、ハウジングは、側面から見ると、三角形、四角形、五角形、六角形、七角形、又は八角形のような実質的に正多角形で設けられる。更に別の代替的な好ましい実施形態では、ハウジングは、側面から見ると、星型、四辺形、又は平行四辺形のような実質的に正多角形で設けられる。
【０００９】
ハウジングは、あらゆる適切な剛性、弾性、又は実質的に弾性の材料から作ることができ、プラスチック材料が特に好ましい。
膜は、各膜の一方の側がハウジングの内側チャンバに露出され、膜の他方の側がハウジングの外部に露出されるように、ハウジングに、好ましくは、ハウジングの前面に取り付けられる。
代替的に、ディスペンサが少なくとも２つの膜を有する場合、使用中に膜の少なくとも１つが内側チャンバ内に収容された揮発性材料と接触しないようにディスペンサを配向することができるという条件で、膜は、ディスペンサの同じか又は異なる壁又は側面上に配置することができる。
【００１０】
膜は、その各々がハウジングとの漏れ防止シールを形成してディスペンの使用時にシールを通るいかなる揮発性材料の漏れも防ぐように取り付けることができる。漏れ防止シールは、ディスペンサが倒されるか又はディスペンサが置かれた表面に向けて膜が下に向くように置かれた時に、揮発性材料の漏れを防ぐか又は最小限にするのに特に有用であると考えられる。
好ましい作動位置は、ディスペンサが、膜が使用中にディスペンサが置かれた表面に向かないように構成される場合に達成される。更に好ましくは、ディスペンサは、膜が使用中にディスペンサが置かれた表面に対して実質的に垂直方向に向けられるように構成される。
【００１１】
ディスペンサは、使用中に好ましい作動位置が、ハウジングの１つ又は複数の側縁がディスペンサの置かれた表面に接触するための位置であるように構成することができる。
ハウジングは、その外部から突出する又は外部に装着される１つ又はそれよりも多くの固定手段を有することができる。固定手段は、ディスペンサが、使用中に膜及び揮発性材料に対して１つ又はそれよりも多くの望ましい配向で固定されるように置かれた表面に係合するように適応させることができる。好ましくは、ハウジングには、ディスペンサを様々な配向で位置決めすることを可能にする複数の固定手段が設けられる。
障壁区画が、好ましくは、隣接する膜の間に位置し、使用中に隣接する１つ又は複数の膜からの１つの膜による揮発性材料の取り込みを防止する。障壁区画は、使用中に揮発性材料の横方向取り込みを防ぐ構造又はハウジングにより、及び／又は膜の適切な処理により設けることができる。
【００１２】
本発明の好ましい実施形態では、揮発性材料は、使用中かつディスペンサが好ましい作動位置に配向された時に、揮発性材料がディスペンサにおいて個別の膜の全体に直接接触しないで量で存在する。個別の膜の全体に接触しないような揮発性材料の特定量を精密に設けることは、従来技術に付随する蓄積現象を克服する機能に関して有利であると考えられる。
膜は、好ましくは、蒸気透過性である材料から構成される。代替的に、膜は、蒸気非透過性である材料から構成することができる。膜の特定の性質の選択は、ディスペンサが使用中に発散しようとする特定の揮発性材料に応じて変更することができる。例えば、揮発性材料が、非常に異なる揮発度を有する成分の配合物である場合、材料のより一貫した蒸発プロフィールを提供するために蒸気非透過性膜を用いることが好ましいであろう。
【００１３】
膜は、好ましくは、１つ又はそれよりも多くのポリマー材料、又は無機材料、例えばシリカと組み合わせたポリマー材料から作られる。適切なポリマー材料は、以下に限定されるものではないが、ポリエチレン、ポリプロピレン、ポリスチレン、及び／又はこれらのコポリマー、及び／又はこれらの材料のいずれか又は全ての混合物を含むことができる。
本発明の膜に用いるポリマー材料は、充填剤、可塑剤、抗酸化剤、潤滑剤、帯電防止剤、顔料、染料、安定剤、光安定剤、及び非ポリマー成分など、並びにこれらの混合物のような適切な成分を更に組み込むことができる。
【００１４】
本発明の膜は、０．０１−１０ｍｍの間の厚みを備えることができる。好ましくは、厚みは、０．１−５ｍｍの間であり、最も好ましくは、０．５−１．５ｍｍの間である。
本発明のディスペンサは、以下でより詳細に説明するように、ディスペンサの使用中に揮発性材料の受動的又は能動的な発散速度を変更するより多くの多様性をユーザに提供するために、その化学組成及び／又は厚みによる異なる特性の膜を有することができる。
ディスペンサは、使用中に広範な揮発性材料、特に、香料／芳香剤、殺虫剤、消毒剤、殺菌剤、防かび剤、及び／又は薬剤のような揮発性材料を発散するよう作動可能であるように適応させることができる。好ましい実施形態では、ディスペンサは、使用中に香料／芳香剤を発散するように作動可能であるようになっている。
【００１５】
揮発性材料は、好ましくは、液体形態で提供される。
好ましい液体香料／芳香剤は、ディスペンサから生じている発散をユーザに可視表示するために顔料及び／又は着色剤を含むことができる。
適切な香料／芳香剤揮発性材料は、セダー油、ビャクダン油、ベルガモット、ブルガリアンローズ油、パチョリ、ミルラ、クローブリーフ油、リナロール、エチルアルコール、テルピオネール、メントール、シトロネラル、及び／又はフェニルエチルアルコールのような１つ又はそれよりも多くの芳香成分を含むことができる。
【００１６】
適切な脱臭特性を提供することができる更に別の香料／芳香剤揮発性材料は、悪臭の強度知覚を低減する作用を有することが公知の１つ又はそれよりも多くの香料及び／又は非香料薬剤を含む。特に、このような適切な材料は、不飽和脂肪酸エステル、ケトン、アルデヒド、及び／又は芳香材料、例えば、シトロネラル及び／又はセダー油（これは、タバコの悪臭の知覚を弱めることが公知である）を含むことができる。
更に好ましい液体香料／芳香剤揮発性材料は、悪臭中和剤及び／又は殺虫剤を含むことができる。好ましくは、悪臭中和剤及び／又は殺虫剤を更に含むことができるものが、第１の香料組成物である。
【００１７】
本発明で使用する適切な殺虫剤は、ピレスロイド、ニコチノイド、ロテノイドのような１つ又はそれよりも多くの天然殺虫剤、及び／又は１つ又はそれよりも多くの合成殺虫剤、例えば、メトフルトリン（ＲＴＭ）、トランスフルトリン（ＲＴＭ）、テトラメトリン（ＲＴＭ）、ビオアルトリン（ＲＴＭ）、アレスリン（ＲＴＭ）、フェントリン、ジニトロフェノール、有機チオシアン酸塩、ベンゼンヘキサクロリド、ポリ塩化環状炭化水素（例えば、ヘプタクロル（ＲＴＭ）、アルドリン（ＲＴＭ）、及び／又はテロドリン（ＲＴＭ））、及び／又は有機リン酸（例えば、テトラエチルピロホスフェート）を含む。
本発明で使用する香料／芳香剤揮発性材料は、トコフェロール、パルミチン酸アスコルビル、ブチル化トルエン、アスコルビン酸、第三ブチルヒドロキノン、ベータカロチン、及び／又はガラートのような抗酸化物質を更に含むことができる。これらの揮発性材料では、「ユビノール４００」のようなＵＶ安定剤を任意的に含むことができる。
【００１８】
ディスペンサの作動モードを説明する。本発明により、ディスペンサは、有利な態様では、使用中に揮発性材料をそこから受動的に発散させるよう作動可能であり、従って、高圧ガス式エーロゾル、又は電熱器又は扇風機などのような電動自動化の必要はない。すなわち、本発明のディスペンサは、使用中に、単に膜を横切る揮発性材料の毛細管／拡散作用と外部環境内への蒸発とによって発散させることができる。
【００１９】
使用中に、ディスペンサは、その側縁がディスペンサの置かれた表面と接触するように配向することができる。この配向により、膜は、表面に対して実質的に垂直方向に向くことができる。実際に、この配向は、揮発性材料を少なくとも１つの個別の膜と直接に接触させることができるが、少なくとも１つの膜は、この材料と直接接触していない。揮発性材料は、次に、毛細管／拡散作用を通じて、それに接触する膜を横切って輸送され、膜の外面からの蒸発によって材料の発散を可能にすることができる。
【００２０】
上述の処理は、材料の継続的発散を可能にすることになるが、ディスペンサは、有利な態様では、発散速度を高める機能を有することができる。発散速度のブーストは、ユーザがディスペンサを持上げ、それを回転させ、ディスペンサの実質的に対向する側縁がディスペンサを移動する前に接触していた縁部に対する表面に接触するようにその表面上に再度配置することによって容易にすることができる。ディスペンサのこの移動は、揮発性材料をハウジングの内側チャンバの実質的に対向する端部に移動させ、そうすることで、この移動前は材料に接触していなかった少なくとも１つの膜と直接接触させることができる。移動の結果として、少なくとも一時的な期間の間、少なくとも１つの膜が直接接触していないとしても、少なくとも２つ及び場合によっては全ての膜が揮発性材料で湿り、一時的に膜の外面から揮発性材料のより多くの蒸発を可能にすることになる。揮発性材料ともはや直接接触していない膜に対しては、この膜における量の材料は、最終的にそこから蒸発してなくなることになり、すなわち、発散速度のブーストは、ユーザが再びディスペンサを移動するまでなくなることになる。
【００２１】
発散速度のブーストは、有利な態様では、馴化、真空増加、及び揮発性材料成分の蓄積の上述の欠点を克服することができると考えられる。特に、チャンバ内の揮発性材料の移動は、このような増加を受ける１つ又は複数の膜から離れる材料移動により、すなわち、より多くの空気の通気を可能にすることにより、あらゆる真空増加を緩和することができる。揮発性材料の移動も、より多くの揮発性材料成分が材料を通して分散し、すなわち、少なくとも一時的に材料の全成分のより均一な発散プロフィールをもたらすように、材料の成分に混合効果を与えることができる。
【００２２】
発散速度のブーストは、周囲に発散する材料の量を増加させ、従って、特に揮発性材料が香料／芳香剤である時に、潜在的にユーザに周囲環境内への材料の知覚可能なブーストをもたらし、従って、馴化影響を低減することができる。
少なくとも２つの個別の膜の存在により、ディスペンサのユーザは、ディスペンサの受動／ブースト発散速度をより良く制御することができる可能性がある。特に、ディスペンサは、２つよりも多い個別の膜を備えて、より多い又はより少ない個別の膜が揮発性材料に接触するようにユーザがディスペンサを配向することを可能にする。異なる大きさの膜を備えて、受動／ブースト発散速度の選択及び制御をユーザに容易にすることができる。このような配列において、より大きな受動又はブースト発散速度が望ましい場合は、ユーザは、より多くの個別の膜を揮発性材料に露出することができる。
ディスペンサは、ハウジングにアクセスポートを備えて揮発性材料のレベルの詰め替えを可能にすることができる。この特徴により、特に香料／芳香剤に関しては、ディスペンサ全体を交換する必要なくユーザが発散される香りを変えることを可能にすることができる。
【００２３】
本発明のディスペンサは、ユーザの揮発性材料の詰め替えが作業可能であるように構成することができる。ハウジングは、詰め替え品を位置決めするために内側ハウジングにユーザがアクセス可能であるようにハウジングの他の部分に対して可動式である区画を備えることができる。ハウジングは、ヒンジ付け又はスナップ式装置によって接続されて詰め替え品の装填を可能にするために一時的に開放又は取外しが可能である区画を有することができる。
【００２４】
ハウジングは、開放されてその後に閉鎖された後で、シールが、あらゆる揮発性材料の内側チャンバからの液体及び／又は気体の漏れを実質的に完全に防止するのに十分であるように、ハウジングの可動部の間に付加的な密封手段を備えることができる。
好ましくは、膜が置かれたディスペンサの側壁は、詰め替え品の装填が可能なように可動式である。この配列は、詰め替え品をディスペンサ内に装填する時に、ユーザが詰め替え品から揮発性材料をこぼすことを更に防ぐことができるので有利であると考えられる。この配列において、ユーザは、ディスペンサの後壁を平坦な表面上に配置し、膜を備えるディスペンサの前壁を除去又は開放し、詰め替え品を内側チャンバ内に装填し、揮発性材料を詰め替え品内に保持しているあらゆる障壁材料を除去し、ディスペンサの前壁を戻してハウジングの残りの部分を確実に密封したことを確認し、かつディスペンサをその側縁の１つに位置決めして揮発性材料の受動的発散を始めることが単に必要であると考えられる。
【００２５】
ハウジングの可動部の内面は、１つ又はそれよりも多くの穿孔手段を備えて、詰め替え品が装填されるディスペンサのこぼれ防止特性を更に改善することができる。この配列において、いずれかの障壁材料を含む詰め替え品は、内側チャンバ内に装填され、ユーザがハウジングの可動部を元に戻し、かつハウジングの残りの部分にこれを確実に密封する時に、１つ又はそれよりも多くの穿孔手段は、障壁材料を穿孔して揮発材料をディスペンサの膜に接触させるであろう。
詰め替え品は、好ましくは、ハウジングの内側チャンバを実質的に満たすような形状を有する。詰め替え品には、好ましくは、取外し可能又は穿孔可能な障壁材料で覆われた開放側壁を有する弾性ハウジングが設けられる。
【００２６】
従って、本発明の第３の態様により、本発明の第２の態様によるディスペンサの発散速度を手動でブーストする方法を提供し、揮発性材料ディスペンサは、第１の位置から、第１の位置の間は揮発性材料が接触していなかった少なくとも１つの個別の膜に揮発性材料が直接接触するような第２の位置に手動で移動され、少なくとも１つの個別の膜は、第２の位置では揮発性材料と直接接触していない。
ここで、本発明の実施形態を単に一例として以下の図面を参照して説明する。
【図面の簡単な説明】
【００２７】
【図１】本発明によるディスペンサの斜視図である。
【図２】側面から見た時のブースト機能を作動するために図１のディスペンサに与えられた一連の移動を示す図である。
【図３】本発明による更に別のディスペンサの斜視図である。
【図４】本発明による更に別のディスペンサの斜視図である。
【図５】側面から見た時の図４のディスペンサにその受動的発散速度を変えるために与えることができる様々な配向を示す図である。
【発明を実施するための形態】
【００２８】
図１に見ることができるように、本発明の実施形態によるディスペンサ（１０）は、ディスペンサ（１０）の前壁と後壁（図示せず）を離間させる側縁（１５）を備える中空ハウジングによって形成されたほぼ矩形立方体形状を含んで示している。ディスペンサ（１０）の前壁において、ハウジングの分離部材（１３）によって分離された２つの個別の膜（１１、１２）が保持される。膜（１１、１２）は、ハウジングの前壁に固定されて、これとの漏れ防止シールを形成する。ハウジングの内部容積の一部は、揮発性材料、好ましくは、液体揮発性材料で満たされる。図示の実施形態では、揮発性材料は、ハウジングの内部容積を最大で破線（１４）まで満たす。この量の揮発性材料は、膜（１２）の全てに直接接触せず、従って、恐らく上述の真空影響の全体的改善が可能になるので好ましい。
【００２９】
毛細管／拡散効果により、膜（１２）を横切ってハウジングの内部を向くその表面からハウジングの外部を向くその表面まで揮発性材料を運ばせることができる。膜（１２）の外部を向く表面に到達すると、揮発性材料は、蒸発によって周囲環境内に発散させることができる。
図１は、ディスペンサ（１０）の第１の位置を示し、膜の１つ（１１）が揮発性材料に直接接触していないことに注意されたい。
【００３０】
本発明によるブースト機能を次に図２を参照して説明し、図２では、第１の位置（位置Ａ）から第２の位置（位置Ｃ、Ｄ）へのディスペンサ（１０）の移動を示している。
ディスペンサ（１０）の移動は、ユーザがディスペンサ（１０）を持上げ、これを回転し（位置Ｂ）、かつディスペンサの実質的に対向する側縁がディスペンサを移動する前に接触していた縁部に対する表面に接触するようなその表面に再度配置する（位置Ｃ、Ｄ）ことによってもたらすことができる。ディスペンサのこの移動により、揮発性材料をハウジングの内部の実質的に対向する端部に移動させることができ、そうすることで、膜（１２）との直接接触から移動して他方の膜（１１）と直接接触することができる。この移動の結果として、一時的な期間の間（位置Ｃに示すように）、１つの膜（１１）だけが直接接触しているとしても、両方の膜（１１、１２）が揮発性材料で湿っている。両方の膜（１１、１２）が湿っていると、両方の膜（１１、１２）の外面からの揮発性材料のより多くの蒸発が可能である。揮発性材料にもはや直接接触していない膜（１２）では、この膜（１２）における量の揮発性材料は、最終的にそこから蒸発することになり、すなわち、実質的に完全に蒸発した状態では、ユーザが再びディスペンサ（１０）を移動するまでブースト期間は終了することになる。
図１及び図２に示すディスペンサ（１０）は、ほぼ立方体形状を有するが、図３及び図４は、本発明による様々な実施形態内で考えられているハウジング及び膜の多くの形状を示している。
【００３１】
図５において、本発明によるディスペンサの特定の配向は、ディスペンサのユーザがディスペンサの受動的発散速度を変更することができる方法を示している。図示の実施形態では、ディスペンサには、多くの個別の膜、この場合は大きさの２つの組を備える４つの膜が設けられる。しかし、必要に応じて、個別の膜の全て（又は膜の一部）は、異なる大きさ又は大きさの組合せとすることができる。破線は、ハウジング内に保持される揮発性材料のレベルを示している。図に示すように、ユーザは、ハウジングが立っている表面に側縁のどの部分が接触するかを変更することにより、ハウジングを配向することができる。配向をそのように変更すると、異なる膜が揮発性材料と直接接触して置かれる。膜が異なる大きさの場合、図５の場合のように、最大の膜が直接接触すると（Ｇ参照）、揮発性材料の受動的発散速度はより大きくなる。逆に小さな膜が揮発性材料と直接接触する（Ｅ参照）ほど、受動的発散速度は低くなる。
すなわち、この実施形態は、本発明によるディスペンサが、ディスペンサの配向を選択することによって受動的に又はブースト機能を作動することによって能動的に発散速度を変化させるように作動することができる方法の一例を示している。
【００３２】
本明細書（あらゆる添付した特許請求の範囲、要約、及び図面を含む）に開示した特徴の全て、及び／又はここで開示したあらゆる方法又は処理の段階の全ては、このような特徴及び／又は段階の少なくとも一部が相互排他的である組合せを除いて、あらゆる組合せで組み合わせることができる。
本明細書（あらゆる添付した特許請求の範囲、要約、及び図面を含む）に開示した各特徴は、特に明示的に示さない限り、同じか、同等か、又は同様の目的に役立つ代替的な特徴によって置換することができる。すなわち、特に明示的に示さない限り、開示した各特徴は、一般的な一連の同等又は同様の特徴の単に一例に過ぎない。
本発明は、上述の実施形態の詳細に制限されない。本発明は、本明細書（あらゆる添付した特許請求の範囲、要約、及び図面を含む）に開示した特徴のあらゆる新規な１つ又はあらゆる新規な組合せ、又は開示したあらゆる方法又は処理の段階のあらゆる新規な１つ又はあらゆる新規な組合せに及ぶものである。
【符号の説明】
【００３３】
１１、１２  膜
Ａ  第１の位置
Ｃ、Ｄ  第２の位置
【図１】
2010536453.tif 000004
【図２Ａ】
2010536453.tif 000005
【図２Ｂ】
2010536453.tif 000006
【図２Ｃ】
2010536453.tif 000007
【図２Ｄ】
2010536453.tif 000008
【図３】
2010536453.tif 000009
【図４】
2010536453.tif 000010
【図５Ｅ】
2010536453.tif 000011
【図５Ｆ】
2010536453.tif 000012
【図５Ｇ】
2010536453.tif 000013
【国際調査報告】
2010536453.tif 000014
2010536453.tif 000015
2010536453.tif 000016